(57)【要約】【課題】容易に設定温度の変更を要求することができ、部屋空間に存在するほとんどの利用者にとって快適な温度環境を作り出すことができる空調システムを提供することを目的としている。【解決手段】部屋空間６に送風口５から送風を行う空調システムであって、部屋空間に設置されウェブのブラウザを有する１もしくは複数の端末１と、端末１からブラウザを介してアクセス可能であり、１もしくは複数の端末１からの体感温度情報をブラウザを利用して収集可能なウェブサーバ２と、ウェブサーバ２で収集された体感温度情報をもとに任意のアルゴリズムを用いて演算を行い温度制御情報を算出する空調機制御装置３と、空調機制御装置３からの温度制御情報に基づいて送風口を介して部屋空間の温度制御を行う空調機４とを有する。【選択図】　図１
2004125277.tif 000002
【特許請求の範囲】
【請求項１】
部屋空間に送風口から送風を行う空調システムであって、
前記部屋空間に設置されウェブ閲覧のためのブラウザの機能を備えた１もしくは複数のネットワーク端末と、前記ネットワーク端末から前記ブラウザを介してアクセス可能であり、前記１もしくは複数のネットワーク端末からの体感温度情報を前記ブラウザを利用して収集可能なウェブサーバと、前記ウェブサーバで収集された体感温度情報をもとに任意のアルゴリズムを用いて演算を行い温度制御情報を算出する空調機制御装置と、前記空調機制御装置からの温度制御情報に基づいて前記送風口を介して前記部屋空間の温度制御を行う空調機とを有することを特徴とする空調システム。
【請求項２】
前記空調機制御装置は、前記収集された体感温度情報をもとに温度制御情報を算出するためのアルゴリズムを複数有し、前記ネットワーク端末のうちのいずれかの限定されたネットワーク端末は、前記ブラウザから前記複数のアルゴリズムのいずれかを選択可能であることを特徴とする請求項１に記載の空調システム。
【請求項３】
前記送風口は複数存在し、前記空調機は前記複数の送風口ごとに温度あるいは風量を制御可能であり、前記空調機制御装置は、前記複数の送風口のそれぞれの近傍に設置された前記ネットワーク端末を前記それぞれの送風口に対応付けて登録し、前記登録されたネットワーク端末のうちの特定のネットワーク端末からの前記体感温度情報に基づいて前記特定のネットワーク端末に対応する送風口から出力される送風の温度あるいは風量を制御することを特徴とする請求項１または２に記載の空調システム。
【発明の詳細な説明】
【０００１】
【発明の属する技術分野】
本発明は、空調機の送風温度や送風風量を制御することにより、オフィスビルなどの建物の広い部屋空間を温度制御または空調制御する空調システムに関するものである。
【０００２】
【従来の技術】
図３は、従来の空調システムを示すブロック図であり、オフィスビルなどの建物の広い部屋空間で使用される空調システムを示す。
【０００３】
図３において、３は壁に設置されたリモコンなどの空調機制御装置、４は空調機制御装置３からの温度制御情報をもとに部屋空間６に送出する送風の温度や風量などを制御する空調機、５は空調機４からの送風を部屋空間６に供給する送風口、７はオフィスビルなどの建物である。
【０００４】
このように構成された空調システムについて、その動作や操作などについて説明する。
【０００５】
部屋空間６に居住する利用者は、温度変更の必要を感じたとき、空調機制御装置３のところまで歩いていってボタン操作を行い、その結果、温度制御情報が空調機制御装置３から空調機４に伝達される。空調機４は、温度制御情報に応じて送風の温度を変更し、それが送風口５を通じて部屋空間６に供給され、部屋空間６の温度が変更される。
【０００６】
しかしながら、上記従来の構成では、部屋空間６に概ねひとつしか存在しない空調機制御装置３のところまで歩いていくのが億劫なので、多少の暑い、寒いは気にせずに耐えている人がほとんどである。その上、部屋空間６に大勢の人間が存在する場合、自分の一存で温度設定を変更してよいものかという思いが頭をよぎるため、ますます、空調機制御装置３の操作による温度変更の試みは、頻度が低下する。その結局、部屋空間６の利用者の感覚に関係なく予め設定された温度のまま運用され、ほとんどの利用者が不快に思いながらも、ほとんど設定変更は行われないという事態が発生する。また、逆に、一部の強固な意見の持ち主の主張に対抗できないために、不快な温度環境に甘んじてしまっている場合もよく見受けられる。（例えば、特許文献１参照。）
【０００７】
【特許文献１】
特開２００２−２１５７６０号公報
【０００８】
【発明が解決しようとする課題】
このように、従来の空調システムでは、部屋空間の利用者が自席に座ったまま温度変更を実現する仕組みがなく、さらにその部屋空間に存在する複数の利用者の設定温度に対する意見調整機構が存在しなかったために、多くの利用者が不快な温度環境に甘んじざるをえないという事態をまねいてしまっていた。
【０００９】
この空調システムでは、ネットワークを有効に利用することで、部屋空間に大勢の利用者が存在する場合においても、容易に設定温度の変更を要求することができ、部屋空間に存在するほとんどの利用者にとって快適な温度環境を作り出すことができることが要求されている。
【００１０】
本発明は、この要求を満たすため、容易に設定温度の変更を要求することができ、部屋空間に存在するほとんどの利用者にとって快適な温度環境を作り出すことができる空調システムを提供することを目的としている。
【００１１】
【課題を解決するための手段】
上記課題を解決するために本発明の空調システムは、部屋空間に送風口から送風を行う空調システムであって、部屋空間に設置されウェブのブラウザを有する１もしくは複数のネットワーク端末と、ネットワーク端末からブラウザを介してアクセス可能であり、１もしくは複数のネットワーク端末からの体感温度情報をブラウザを利用して収集可能なウェブサーバと、ウェブサーバで収集された体感温度情報をもとに任意のアルゴリズムを用いて演算を行い温度制御情報を算出する空調機制御装置と、空調機制御装置からの温度制御情報に基づいて送風口を介して部屋空間の温度制御を行う空調機とを有する構成を備えている。
【００１２】
これにより、容易に設定温度の変更を要求することができ、部屋空間に存在するほとんどの利用者にとって快適な温度環境を作り出すことができる空調システムが得られる。
【００１３】
【発明の実施の形態】
本発明の請求項１に記載の空調システムは、部屋空間に送風口から送風を行う空調システムであって、部屋空間に設置されウェブのブラウザを有する１もしくは複数のネットワーク端末と、ネットワーク端末からブラウザを介してアクセス可能であり、１もしくは複数のネットワーク端末からの体感温度情報をブラウザを利用して収集可能なウェブサーバと、ウェブサーバで収集された体感温度情報をもとに任意のアルゴリズムを用いて演算を行い温度制御情報を算出する空調機制御装置と、空調機制御装置からの温度制御情報に基づいて送風口を介して部屋空間の温度制御を行う空調機とを有することとしたものである。
【００１４】
この構成により、利用者用のネットワーク端末からの体感温度情報をもとに任意のアルゴリズムを用いて演算された温度制御情報に基づいて部屋空間の温度制御を行うことができるので、利用者から容易に設定温度の変更を要求することができ、部屋空間に存在するほとんどの利用者にとって快適な温度環境を作り出すことができるという作用を有する。
【００１５】
請求項２に記載の空調システムは、請求項１に記載の空調システムにおいて、空調機制御装置は、収集された体感温度情報をもとに温度制御情報を算出するためのアルゴリズムを複数有し、ネットワーク端末のうちのいずれかの限定されたネットワーク端末は、ブラウザから複数のアルゴリズムのいずれかを選択可能であることとしたものである。
【００１６】
この構成により、状況に応じて最適なアルゴリズムを特定のネットワーク端末において選択することができるという作用を有する。
【００１７】
請求項３に記載の空調システムは、請求項１または２に記載の空調システムにおいて、送風口は複数存在し、空調機は複数の送風口ごとに温度あるいは風量を制御可能であり、空調機制御装置は、複数の送風口のそれぞれの近傍に設置されたネットワーク端末をそれぞれの送風口に対応付けて登録し、登録されたネットワーク端末のうちの特定のネットワーク端末からの体感温度情報に基づいて特定のネットワーク端末に対応する送風口から出力される送風の温度あるいは風量を制御することとしたものである。
【００１８】
この構成により、複数の送風口からの送風の温度あるいは風量をその近傍に存在するネットワーク端末からの体感温度情報のみに基づいて行うようにしたので、送風の温度あるいは風量を局部的に最適になるように制御することができ、利用者の位置（窓際とか部屋中央などの位置）にかかわらず最適な温度環境や空調環境を提供することができるという作用を有する。
【００１９】
以下、本発明の実施の形態について、図１、図２を参照して説明する。
【００２０】
（実施の形態１）
図１は本発明の実施の形態１による空調システムを示すブロック図である。
【００２１】
図１において、１は部屋空間６に設置され、ウェブ（Ｗｅｂ）閲覧のためのブラウザ機能を備え、ＬＡＮなどのネットワーク８に接続された複数の端末（通常はパソコンで、場合によってはネットワークに接続可能なＰＤＡや携帯電話機などである）、２は端末１からブラウザを介してアクセス可能で、部屋空間６に存在する一人もしくは複数の利用者の体感温度情報（つまり１もしくは複数の端末１からの体感温度情報）をブラウザを利用して収集可能なウェブサーバ（Ｗｅｂサーバ）、３はＷｅｂサーバ２で収集された各端末１の体感温度情報をもとに任意のアルゴリズムを用いて演算を行い温度制御情報を算出する空調機制御装置、４は空調機制御装置３からの温度制御情報に基づいて、部屋空間６に送出する送風の温度や風量を制御する空調機、５は空調機４からの送風を部屋空間に供給する送風口、７は部屋空間６を有する建物である。
【００２２】
このように構成された空調システムについて、その動作を説明する。
【００２３】
部屋空間６に存在する利用者は、暑いもしくは寒いと感じたとき、すなわち部屋空間６の温度を変更したいと考えたとき、まず端末１でブラウザを起動し、Ｗｅｂサーバ２にアクセスする。そこで既定の設定変更画面を開き、自分の体感温度に応じた変更要求をメニューから選択するかあるいは数値で入力することにより、Ｗｅｂサーバ２に通知する。
【００２４】
設定変更画面に表示されるメニューの具体例としては、「暑い」、「少し暑い」、「寒い」、「少し寒い」といったその時点の利用者の状態を表す形式、あるいは、「暖かく」、「少し暖かく」、「涼しく」、「少し涼しく」といった空調機４への要望を表す形式、あるいは、具体的に設定温度を表す数値を選択する形式が考えられる。設定温度を表す数値をメニューで選択するかわりに、キーボード等から数値を入力させることも可能である。この場合、この設定変更画面には、その時点での空調機４の設定温度等が表示されていることが望ましい。また、設定変更項目は温度だけでなく、風量・風向や後述する温度制御情報の算出アルゴリズムも、この画面から変更可能なように構成されている。
【００２５】
Ｗｅｂサーバ２では、このようにして端末１からブラウザを介して入力された利用者の体感温度情報をネットワークを利用して広く収集し、空調機制御装置３に対して出力する。
【００２６】
空調機制御装置３では、得られた体感温度情報を使って、任意のアルゴリズムにより、空調機４を制御するための温度制御情報を算出する。空調機制御装置３は、Ｗｅｂサーバ２と同じマシン上で動作するソフトウェアとして実現される場合もあるし、同じネットワークに接続される別のマシンとして実現される場合もあるし、場合によっては空調機４に内蔵されることもある。また、ここでは便宜上、温度制御情報に風量や風向のデータを含むことも可能とする。
【００２７】
この空調機制御装置３において温度制御情報を算出するためのアルゴリズムとは、それぞれ体感温度が違うはずの複数の利用者の温度変更要求の調整を図り、最終的に空調機４に対してどういう指示を出すかを決定するためのアルゴリズムである。これは、前述の設定変更画面におけるメニュー構成や空調機４の設定方法とも関連するが、具体的には、たとえば以下のような方法が考えられる。
【００２８】
（１）多数決で決める。「現状維持」、「温度を上げる」、「温度下げる」のうちもっとも支持の多い意見にしたがう。
【００２９】
（２）平均で決める。希望温度が数値で入力された場合に、各利用者の希望する温度を平均する。
【００３０】
（３）重みづけ平均で決める。たとえば「暖かく」を２点、「少し暖かく」を１点、「現状維持」を０点、「少し涼しく」を−１点、「涼しく」を−２点として、重み付けを行った上で平均する。
【００３１】
（４）利用者ごとの重み付け（つまりインターネット端末ごとの重み付け）を行う。たとえば送風口５の近くにいる人や、特定の利用者の意見を重要視したい場合に、利用者ごとに重みづけをする。
【００３２】
こういった各種アルゴリズムをあらかじめ準備できるようにしておき、あるいは新規のアルゴリズムを追加できるようにしておき、どのアルゴリズムを採用するかをブラウザから選択可能なように構成されている。ただし、すべての利用者がこのアルゴリズム変更を行うと混乱するので、このアルゴリズム変更の権限は一部の管理者のみに限定する必要がある（一部のインターネット端末のみに限定してもよい）。また、当然のことながら、空調機４が温度制御可能な部屋空間６にいる利用者が一人の場合は、その利用者が管理者であり、また利用者間の意見調整のためのアルゴリズムは必要でなく、その利用者の意見が全てそのまま温度制御情報として、空調機４に対して出力される。
【００３３】
空調機４では、空調機制御装置３から出力された温度制御情報をもとに、部屋空間６に送出する送風の温度を制御し、送風口５を通して部屋空間６に供給する。また、空調機４は、空調機制御装置３の構成に応じて、専用のインターフェースをもつか、あるいは同じネットワークに接続するためのインターフェースを有するものとする。また、空調機制御装置３から異常な値を持つ温度制御情報が入力されたとしても、空調機４の出力する送風の温度がそれに応じて異常な温度にならないように、空調機４自身に設定温度の上限値、下限値をハード的に設定できるように構成しておく。
【００３４】
以上のように本実施の形態によれば、部屋空間６に大勢の利用者が存在する場合においても、気軽に設定温度の変更を主張することができ、その結果、部屋空間６に存在するほとんどの利用者にとって快適な温度環境（温度が示す環境）もしくは空調環境（温度や風量など２以上のパラメータが示す環境）を作り出す空調システムを提供することができる。
【００３５】
（実施の形態２）
図２は本発明の実施の形態２による空調システムを示すブロック図である。
【００３６】
図２において、端末１、Ｗｅｂサーバ２、空調機制御装置３、空調機４、部屋空間６、建物７、ネットワーク８は図１と同様のものなので、同一符号を付し、説明は省略する。９は複数（ここでは２つ）の送風口である。
【００３７】
このように、送風口９は部屋空間６に複数存在し、空調機４は各送風口９ごとに温度や風量・風向の制御が可能となっている。また、Ｗｅｂサーバ２は、各送風口９ごとに、当該送風口９の近傍に設置された端末１あるいはそれを使用する利用者を登録できる仕組みを有している。この登録も端末１からブラウザを利用して行う。そして、当該送風口９から送出される送風の温度や風量・風向は、その送風口９に登録した端末１あるいはそれを使用する利用者のみが変更できるように、Ｗｅｂサーバ２および空調機制御装置３を構成する。
【００３８】
以上のように本実施の形態によれば、実際にその送風口９から送出される送風の影響をもっとも受ける利用者が、その送風の温度や風量・風向を制御することができるので、より快適できめ細かな温度環境や空調環境を実現することができる。
【００３９】
【発明の効果】
以上説明したように本発明の請求項１に記載の空調システムによれば、部屋空間に送風口から送風を行う空調システムであって、部屋空間に設置されウェブのブラウザを有する１もしくは複数のネットワーク端末と、ネットワーク端末からブラウザを介してアクセス可能であり、１もしくは複数のネットワーク端末からの体感温度情報をブラウザを利用して収集可能なウェブサーバと、ウェブサーバで収集された体感温度情報をもとに任意のアルゴリズムを用いて演算を行い温度制御情報を算出する空調機制御装置と、空調機制御装置からの温度制御情報に基づいて送風口を介して部屋空間の温度制御を行う空調機とを有することにより、利用者用のネットワーク端末からの体感温度情報をもとに任意のアルゴリズムを用いて演算された温度制御情報に基づいて部屋空間の温度制御を行うことができるので、利用者から容易に設定温度の変更を要求することができ、部屋空間に存在するほとんどの利用者にとって快適な温度環境を作り出すことができるという有利な効果が得られる。
【００４０】
請求項２に記載の空調システムによれば、請求項１に記載の空調システムにおいて、空調機制御装置は、収集された体感温度情報をもとに温度制御情報を算出するためのアルゴリズムを複数有し、ネットワーク端末のうちのいずれかの限定されたネットワーク端末は、ブラウザから複数のアルゴリズムのいずれかを選択可能であることにより、状況に応じて最適なアルゴリズムを特定のネットワーク端末において選択することができるという有利な効果が得られる。
【００４１】
請求項３に記載の空調システムによれば、請求項１または２に記載の空調システムにおいて、送風口は複数存在し、空調機は複数の送風口ごとに温度あるいは風量を制御可能であり、空調機制御装置は、複数の送風口のそれぞれの近傍に設置されたネットワーク端末をそれぞれの送風口に対応付けて登録し、登録されたネットワーク端末のうちの特定のネットワーク端末からの体感温度情報に基づいて特定のネットワーク端末に対応する送風口から出力される送風の温度あるいは風量を制御することにより、複数の送風口からの送風の温度あるいは風量をその近傍に存在するネットワーク端末からの体感温度情報のみに基づいて行うようにしたので、送風の温度あるいは風量を局部的に最適になるように制御することができ、利用者の位置（窓際とか部屋中央などの位置）にかかわらず最適な温度環境や空調環境を提供することができるという有利な効果が得られる。
【図面の簡単な説明】
【図１】本発明の実施の形態１による空調システムを示すブロック図
【図２】本発明の実施の形態２による空調システムを示すブロック図
【図３】従来の空調システムを示すブロック図
【符号の説明】
１　端末
２　ウェブサーバ（Ｗｅｂサーバ）
３　空調機制御装置
４　空調機
５、９　送風口
６　部屋空間
７　建物
８　ネットワーク
【図１】
2004125277.tif 000003
【図２】
2004125277.tif 000004
【図３】
2004125277.tif 000005